(57)【要約】【課題】ワイパー及び洗浄液を収容する袋の内部から洗浄液をワイパーへ排出する構造を改善した洗浄用のワイパーキットを提供する。【解決手段】本発明において開示の洗浄用のワイパーキットは、ワイパーを収容するための内部空間を備えた外袋と、前記外袋の内部の一側に設けられ、その内部に洗浄液が封入される内袋と、前記内袋と連結され、前記外袋の封止口の方向へ延びた開封部材と、を含み、前記開封部材が引っ張られることで前記内袋を破裂するように前記開封部材が前記内袋に連結され、前記内袋の破裂時、前記洗浄液が排出されて前記外袋の内部で前記ワイパーに塗布され、前記内袋には切取線が形成されており、前記開封部材を引っ張れば、前記切取線に沿って前記内袋が破裂することを特徴とする。【選択図】    図３
2018203374.tif 000002
【特許請求の範囲】
【請求項１】
ワイパーを収容するための内部空間を備えた外袋と、
前記外袋の内部の一側に設けられ、その内部に洗浄液が封入される内袋と、
前記内袋と連結され、前記外袋の封止口の方向へ延びた開封部材と、を含み、
前記開封部材が引っ張られることで前記内袋を破裂するように前記開封部材が前記内袋に連結され、
前記内袋の破裂時、前記洗浄液が排出されて前記外袋の内部で前記ワイパーに塗布され、
前記内袋には切取線が形成されており、
前記開封部材を引っ張れば、前記切取線に沿って前記内袋が破裂することを特徴とする洗浄用のワイパーキット。
【請求項２】
前記切取線が、少なくとも一対の点線からなり、
前記一対の点線が、所定の幅を有して並んで形成された区間を含むことを特徴とする請求項１に記載の洗浄用のワイパーキット。
【請求項３】
前記切取線が、少なくとも一対の点線からなり、
前記一対の点線が、前記内袋の一端から他端へ進むほど漸進的に幅が広くなるように形成されることを特徴とする請求項１に記載の洗浄用のワイパーキット。
【請求項４】
前記開封部材が、前記切取線に連結され、前記外袋の封止口の方向へ延びた樹脂リボン構造を有することを特徴とする請求項２または請求項３に記載の洗浄用のワイパーキット。
【請求項５】
前記内袋が、樹脂シートから形成され、
前記内袋の周縁のうち少なくとも一方の縁端が、前記外袋の一方の縁端に挟まれた状態で前記外袋とともに封止されたことを特徴とする請求項１に記載の洗浄用のワイパーキット。
【請求項６】
前記外袋の少なくとも一部がジグザグ形態で折り畳まれ、前記開封部材と連結される取っ手部を含み、
前記外袋の封止状態で前記取っ手部を前記外袋の外方へ引っ張る動作に連動して前記開封部材が引っ張られることによって前記内袋を破裂するように前記開封部材が前記内袋に連結されることを特徴とする請求項１に記載の洗浄用のワイパーキット。
【請求項７】
前記内袋が樹脂シートから形成され、前記樹脂シートの周縁が前記外袋の内面に封止され、
前記開封部材が、前記樹脂シートに連結され、前記外袋の封止口の反対方向へ延びた樹脂シートまたはリボン構造を有することを特徴とする請求項６に記載の洗浄用のワイパーキット。
【請求項８】
前記ワイパーは、繊維素材の織物または編物からなり、複数個が前記外袋の内部で前記内袋に隣接して積み重なり、
前記洗浄液が、揮発性化学溶剤であることを特徴とする請求項１に記載の洗浄用のワイパーキット。
【発明の詳細な説明】
【技術分野】
【０００１】
本発明は、洗浄用のワイパーキットに関し、より詳しくは、ワイパー及び洗浄液を収容する袋の内部から洗浄液をワイパーへ排出する構造を改善した洗浄用のワイパーキットに関する。
【背景技術】
【０００２】
通常、半導体製造装置、ディスプレイ製造装置、製薬装置などのように極度の清浄状態または無菌状態が求められる設備は、クリーンルーム内に設置される。このような設備は、汚染防止のために、清潔な専用ワイパー（Ｗｉｐｅｒ）及び洗浄液によって洗浄され、常時清潔な状態を維持しなければならない。
【０００３】
通常、クリーンルーム内で半導体ウェハーや装置、器具などを洗浄する用途で用いられるワイパーは、ほこりや水分などの吸着性に優れ、使用中におけるほこりの発生が抑制できる繊維素材から製織または編織される。
【０００４】
このようなワイパーは、可撓性の樹脂袋（ｂａｇ）などのような容器に封止包装されて流通される。作業者は、可撓性樹脂袋を開放してワイパーを取り出した後、別途の容器に保持されたエタノールやアセトンなどの化学溶剤洗浄液でワイパーを濡らして、洗浄対象物の表面を拭き取る方式で用いる。
【０００５】
しかし、従来のワイパーでは、別途の容器に保持された危ない揮発性化学溶剤を容器から排出してワイパーを濡らす作業の時、安全事故が発生する恐れがある。そして、ワイパーの残留化学成分または高分子（オリゴマーなど）が揮発性化学溶剤によって溶出し、後の洗浄作業時、溶出した不揮発性残留物が洗浄被着面にそのまま残ってしまうという問題がある。また、作業者が、揮発性化学溶剤を、適正な使用量に調節しにくいため、溶剤の過飽和などの非効率的な洗浄作業となる恐れがある。
【０００６】
前記のような問題に対処するための代案として、所定容量の洗浄液が予めワイパーに塗布されて飽和された状態で封止包装された製品が提案された。しかし、この製品は、容器内で洗浄液とワイパーとが長時間接触することによって、ワイパーの材料である繊維の汚染や損傷が発生し、放出されてしまう可能性のあるイオン及び不純物が増加するという短所がある。また、洗浄液に生物毒のような成分が含まれる場合、その効能が汚染によって低下してしまう恐れがある。
【０００７】
他の代案として、特許文献１は、ワイパーを収容する外部容器と、前記外部容器内に収納されて洗浄液を収容する内部容器とを含み、使用者の手によって圧力が外部容器に加えられることによって内部容器に圧力が伝達され、内部容器を穿孔して開封することで、外部容器の内部で洗浄液をワイパーに排出する構造を有する洗浄装置を開示している。
【０００８】
しかし、前記洗浄装置には、外部容器の取扱時、外部から加えられる強い物理的衝撃によって内部容器に望まない破裂が生じ、洗浄液がワイパーへ排出され、これによって商品価値を失うという弱点があることから、改善が求められている。
【先行技術文献】
【特許文献】
【０００９】
【特許文献１】韓国公開特許第１９９８−７０２９１６号公報
【発明の概要】
【発明が解決しようとする課題】
【００１０】
本発明は、上記問題点に鑑みてなされたものであり、洗浄液を収容する内部容器を破裂して開封する構造を改善した洗浄用のワイパーキットを提供することを目的とする。
【課題を解決するための手段】
【００１１】
上記の課題を達成するため、本発明は、ワイパーを収容するための内部空間を備えた外袋と、前記外袋の内部の一側に設けられ、その内部に洗浄液が封入される内袋と、前記内袋と連結され、前記外袋の封止口の方向へ延びた開封部材と、を含み、前記開封部材が引っ張られることで前記内袋が破裂するように前記開封部材が前記内袋に連結され、前記内袋の破裂時、前記洗浄液が排出されて前記外袋の内部で前記ワイパーに塗布され、前記内袋には切取線が形成されており、前記開封部材を引っ張れば、前記切取線に沿って前記内袋が破裂することを特徴とする洗浄用のワイパーキットを提供する。
【００１２】
前記切取線は、少なくとも一対の点線からなり、前記一対の点線は、所定の幅を有して並んで形成された区間を含み得る。
【００１３】
代案として、前記切取線は、少なくとも一対の点線からなり、前記一対の点線は、前記内袋の一端から他端へ進むほど漸進的に幅が広くなるように形成され得る。
【００１４】
前記開封部材は、前記切取線に連結され、前記外袋の封止口の方向へ延びた樹脂リボン構造を有し得る。
【００１５】
前記内袋は、樹脂シートから形成され、前記内袋の周縁のうち少なくとも一方の縁端は、前記外袋の一方の縁端に介された状態で前記外袋とともに封止され得る。
【００１６】
本発明の他の実施例によれば、前記外袋の少なくとも一部がジグザグ形態で折り畳まれ、前記開封部材と連結される取っ手部を含み、前記外袋の封止状態で前記取っ手部を前記外袋の外方へ引っ張る動作に連動して前記開封部材が引っ張られることによって前記内袋を破裂するように前記開封部材が前記内袋に連結されることを特徴とする洗浄用のワイパーキットが提供される。
【００１７】
前記内袋は樹脂シートから形成され、前記樹脂シートの周縁が前記外袋の内面に封止され、前記開封部材は、前記樹脂シートに連結され、前記外袋の封止口の反対方向へ延びた樹脂シートまたはリボン構造からなり得る。
【００１８】
前記ワイパーは、繊維素材の織物または編物からなり、複数個が前記外袋の内部で前記内袋と隣接して積み重なり、前記洗浄液は、揮発性化学溶剤であることが望ましい。
【発明の効果】
【００１９】
本発明による洗浄用のワイパーキットは、以下のような効果を奏する。
【００２０】
第一に、開封部材を引っ張れば、切取線によって内袋の破裂が容易かつ精度よく行われるため、開封部材の離脱や切断などによる破裂不能、破片発生の問題を防止することができる。
【００２１】
第二に、使用時において開封部材を引っ張る動作だけで容易に洗浄液を排出してワイパーに洗浄液を塗布することができるため、使用が便利かつ安全な長所がある。
【００２２】
第三に、製品の使用前、外部から強い物理的衝撃が加えられても、開封部材を意図的に引っ張らない限り、内袋の開封される問題が発生しないため、製品の安定性に優れている。
【００２３】
第四に、外袋の封止状態で外袋の一部を引っ張ることで内袋を開封することができるため、化学溶剤の洗浄液から作業者を安全に保護することができる。
【図面の簡単な説明】
【００２４】
【図１】図１は、本発明の望ましい実施例による洗浄用のワイパーキットの構成を示した部分切開斜視図である。
【図２】図２は、図１の線Ａ−Ａ’に沿って見た断面図である。
【図３】図３は、図１において、内袋に形成された切取線のパターンを示した平面図である。
【図４】図４は、図１において、内袋に形成された切取線のパターンを示した平面図である。
【図５】図５は、図１において、内袋に形成された切取線のパターンを示した平面図である。
【図６】図６は、図２において、開封部材を引っ張って内袋を破裂し、開封した状態を示した断面図である。
【図７】図７は、本発明の他の実施例による洗浄用のワイパーキットの構成を示した部分切開斜視図である。
【図８】図８は、図５の線Ｂ−Ｂ’に沿って見た断面図である。
【図９】図９は、図６において、取っ手部を用いて開封部材を引っ張って内袋を破裂し、開封した状態を示した断面図である。
【図１０】図１０は、図７の変形例を示した断面図である。
【図１１】図１１は、図７の他の変形例を示した概略的な平面図である。
【発明を実施するための形態】
【００２５】
以下、添付された図面を参照して本発明の望ましい実施例を詳しく説明する。これに先立ち、本明細書及び請求範囲に使われた用語や単語は、通常的や辞書的な意味に限定して解釈されてはならず、発明者自らは発明を最善の方法で説明するために用語の概念を適切に定義できるという原則に則して、本発明の技術的な思想に応ずる意味及び概念で解釈されねばならない。したがって、本明細書に記載された実施例及び図面に示された構成は、本発明のもっとも望ましい一実施例に過ぎず、本発明の技術的な思想のすべてを代弁するものではないため、本出願の時点においてこれらに代替できる多様な均等物及び変形例があり得ることを理解せねばならない。
【００２６】
図１は、本発明の望ましい実施例による洗浄用のワイパーキットの構成を示した部分切開斜視図であり、図２は、図１の線Ａ−Ａ’に沿って見た断面図である。
【００２７】
図１及び図２に示すように、本発明の望ましい実施例による洗浄用のワイパーキットは、ワイパー１が収容される外袋１００と、外袋１００の内部空間に設けられ、洗浄液２が封入される内袋１０１と、内袋１０１と連結され、外袋１００の封止口１０４の方向へ延びた開封部材１０３と、を含む。
【００２８】
外袋１００は、ワイパー１及び内袋１０１を収容するための内部空間を備える。外袋１００は、例えば、ポリエチレンを材料とする可撓性のラミネーション樹脂によって形成することが望ましい。ここで、ワイパー１は、クリーンルームの内部設備などを洗浄可能な繊維素材の織物または編物からなり、複数個が積み重なり、内袋１０１に隣接して配置される。
【００２９】
外袋１００の一方の縁端は、洗浄作業時においてワイパー１を取り出し得るように開封可能に構成される。外袋１００の一方の縁端は、はさみなどによって切断して開封することができる。洗浄作業の際、必要な分だけのワイパー１のみを取り出し、残りは清潔に臨時保管できるよう、外袋１００の封止口１０４側には幅方向に沿って突部と溝部との組からなるジッパー構造１０２を備え得る。
【００３０】
内袋１０１は、外袋１００の内部の一側面に連結され、その内部に洗浄液２が封入された状態で備えられる。内袋１０１を外袋１００に連結及び固定するために、外袋１００には所定の長さを有する固定用のリボン１０８が外袋１００の一方の縁端に挟まれた状態で付加できる。
【００３１】
内袋１０１は、例えば、透明ビニールなどのような樹脂シートから形成される。ここで、樹脂シートの周縁は、外袋１００の内部の一側面に封止されることで洗浄液２が収容できる内部空間を形成する。ここで、洗浄液２としては、エタノールやアセトン、ＮＭＰ、ＩＰＡ、エタノールとアセトンとの混合液などのような洗浄用の化学溶剤を採用することが望ましい。
【００３２】
内袋１０１の周縁のうち少なくとも一辺は、外袋１００の縁端に挟まれた状態で外袋１００とともに封止することがより望ましい。このような構成によれば、内袋１０１の一方の縁端を除いた残りの部分を封止した状態で、前記一方の縁端を介して内袋１０１の内部に洗浄液を収容し、この後、前記一方の縁端を外袋１００の縁端の一部に挟んた状態で外袋１００と内袋１０１とをともに封止することで、封止作業工数を減らすことができるという長所がある。
【００３３】
開封部材１０３は、内袋１０１を成す樹脂シートの一部と一体に形成してもよく、内袋１０１を成す樹脂シートの一部に付着してもよい。開封部材１０３は、内袋１０１を成す樹脂シートから外袋１００の封止口１０４の方向へ長く延びた樹脂リボン構造を有する。開封部材１０３の端部分は、外部に露出しないように外袋１００の内部に収納することが望ましい。
【００３４】
外袋１００が開放された状態で開封部材１０３が外袋１００の封止口１０４の方向へ引っ張られれば、開封部材１０３に連結された内袋１０１の樹脂シートの一部が破れながら内袋１０１が破裂して開封が行われる。
【００３５】
図３に示したように、内袋１０１には内袋１０１の破裂が容易かつ精度よく行われるようにする切取線１０７が形成されている。開封部材１０３を図面の上方に引っ張れば、切取線１０７に沿って内袋１０１が破裂する。このような作用が可能となるように開封部材１０３は切取線１０７の少なくとも一部と連結されるように形成される。
【００３６】
切取線１０７は、一対の点線が所定の幅（間隔）を置いて並んで形成された区間である第１切取部１０７ａと、第１切取部１０７ａに繋がり一対の点線が徐々に幅が細くなるように傾いて形成された第２切取部１０７ｂと、を含むことができる。この場合、開封部材１０３は、第２切取部１０７ｂと連結される。このような構造によれば、第２切取部１０７ｂの傾斜パターンによって第１  切取部１０７ａの幅を多様に形成することができ、切取線１０７が精度よく切り離される効果がある。または、開封部材１０３が、図４に示したように切取線１０７を成す一対の点線と実質的に等しい幅で連結されることも可能である。
【００３７】
図５に示したように、切取線１０７は少なくとも一対の点線形態からなり、一対の点線が内袋１０１の縁部の一端から他端へ進むほど漸進的に幅が広くなるパターンに形成できる。このような構造によれば、切取線１０７が柔らかい使用感で円滑に切り離され、破裂面積が充分確保できるという長所がある。
【００３８】
図６には、本発明の望ましい実施例による洗浄用のワイパーキットの作動例が示されている。
【００３９】
図６に示したように、開封部材１０３を引っ張れば、開封部材１０３に繋がれた内袋１０１の切取線１０７の部分が切り離されながら内袋１０１が破裂し開封されることで、洗浄液２が内袋１０１の外部へ排出される。排出された洗浄液２は、外袋１００の内に収容されたワイパー１に吸収される。
【００４０】
したがって、作業者は、クリーンルームの内部設備などの洗浄作業時、開封部材１０３を引っ張って迅速かつ安全にワイパー１に洗浄液２を塗布した後、外袋１００を開封してワイパー１を取り出し、便利に洗浄作業を行うことができる。
【００４１】
図７は、本発明の他の実施例による洗浄用のワイパーキットの構成を示した部分切開斜視図であり、図８は、図１の線Ｂ−Ｂ’に沿って見た断面図である。
【００４２】
図７及び図８に示すように、本発明の他の実施例による洗浄用のワイパーキットは、ワイパー１が収容される外袋１００と、外袋１００の内部空間に設けられて洗浄液２が封入される内袋１０１と、内袋１０１に連結され、外袋１００の封止口１０４の反対方向へ延びた開封部材１０３と、外袋１００の一部として前記開封部材１０３に連結された取っ手部１０６と、を含む。
【００４３】
外袋１００は、ワイパー１及び内袋１０１を収容するための内部空間を備える。外袋１００は、例えば、ポリエチレンを材料とする可撓性のラミネイション樹脂から形成することが望ましい。ここで、ワイパー１は、クリーンルームの内部設備などを洗浄できる繊維素材の織物または編物からなり、複数個が積み重なり、内袋１０１と隣接して配置される。
【００４４】
外袋１００の一方の縁端は、洗浄作業時においてワイパー１を取り出し得るように開封可能に構成される。外袋１００の一方の縁端は、はさみなどで切断することで開封することができる。洗浄作業の際し、必要な分だけのワイパー１のみを取り出し、残りは清潔に臨時保管できるように、外袋１００の封止口１０４側には幅方向に沿って突部と溝部との組からなるジッパー構造１０２’が備えられ得る。
【００４５】
内袋１０１は、外袋１００の内部の一側面に連結され、その内部に洗浄液２が封入されて備えられる。
【００４６】
内袋１０１は、例えば、透明ビニールなどのような樹脂シートから形成される。この際、内袋１０１を成す樹脂シートの周縁は、外袋１００の内部の一側面に封止されることで洗浄液２が収容可能な内部空間を形成する。ここで、洗浄液２としては、エタノール、ＮＭＰ、ＩＰＡ、アセトンとエタノールとの混合液や、アセトンなどのような洗浄用化学溶剤を採用することが望ましい。
【００４７】
開封部材１０３は、内袋１０１を成す樹脂シートの一部と一体に形成してもよく、内袋１０１を成す樹脂シートの一部に付着してもよい。開封部材１０３は、内袋１０１を成す樹脂シートから外袋１００の封止口１０４の方向へ長く延びた樹脂リボン構造を有する。開封部材１０３は、外部に露出しないように外袋１００の内部に収納されて取っ手部１０６に連結される。
【００４８】
取っ手部１０６は、外袋１００の他方の縁端、即ち、封止口の反対方向の端部が外袋１００の厚さ方向にジグザグ形態で折り畳まれて形成された折畳部１０５の一部である。取っ手部１０６は、折畳部１０５のジグザグ構造のうち、望ましくは、中間箇所に位置する部分であって、外袋１００の封止口の反対方向に移動可能であり、開封部材１０３は前記取っ手部１０６の内面に封止されることで連結される。ここで、取っ手部１０６は、識別が容易となるようにそれに隣接した少なくとも一側の折畳部に比べて突出することが望ましい。
【００４９】
取っ手部１０６を使用者が引っ張れば、それに連結された開封部材１０３が外袋１００の封止口１０４の反対方向へ引かれる。
【００５０】
前述の実施例と同様に内袋１０１には、内袋１０１の破裂を円滑にするための切取線（図３の１０７）が形成されている。開封部材１０３を引っ張れば、切取線１０７に沿って内袋１０１が破裂する。このような作用が可能となるように、開封部材１０３は切取線１０７の少なくとも一部と連結されるように形成される。
【００５１】
切取線１０７は、一対の点線が所定の幅を有して並んで形成された第１切取部１０７ａと、第１切取部１０７ａに繋がり、一対の点線が徐々に幅が細くなるように傾いて形成された第２切取部１０７ｂと、を含む。ここで、開封部材１０３は、第２切取部１０７ｂに連結することが望ましい。
【００５２】
したがって、使用者が取っ手部１０６を外袋１００の外方へ引っ張れば、それに連結された開封部材１０３が引かれ、開封部材１０３に連結された切取線１０７が切り離されながら内袋１０１が破裂することで開封が行われる。このような構造によれば、外袋１００が封止された状態で外袋１００の一部である取っ手部１０６を引っ張って内袋１０１を開封することできるため、化学溶剤による作業者の安全事故を予防することができるという効果を奏する。
【００５３】
図９には、前記のような構成を有する封止型の洗浄用のワイパーキットの作動例が示されている。
【００５４】
図９に示したように、取っ手部１０６を引っ張れば、折畳部１０５に対して取っ手部１０６が若干広げられて引かれ、それに連動して開封部材１０３が引かれ、開封部材１０３に連結された内袋１０１の切取線１０７に集中的に力が加えられる。これによって、開封部材１０３に連結された切取線１０７部分の樹脂シートが破れ、内袋１０１が破裂し、開封されることで洗浄液２が内袋１０１の外部へ排出される。排出された洗浄液２は、外袋１００内に収容されたワイパー１に吸収される。
【００５５】
したがって、作業者は、クリーンルームの内部設備などの洗浄作業時において外袋１００の一部を引っ張って外袋１００の内部に位置した開封部材１０３を引っ張り、内袋１０１を容易に破裂し開封することで、迅速かつ安全にワイパー１に洗浄液２を塗布した後、外袋１００を開封してワイパー１を取り出して便利に洗浄作業を行うことができる。
【００５６】
図１０に示したように、折畳部１０５及び取っ手部１０６’は、外袋１００の端部から所定距離が離れた平面部の一側に配置されることも可能である。この場合、折畳部１０５及び取っ手部１０６’が外袋１００の縁端に配置される場合に比べ、製品の全体サイズを増加させないながらも、開封部材１０３の長さを必要に応じて長く確保して内袋１０１の破裂長さを十分長くすることができるという長所がある。このような効果を考えれば、折畳部１０５及び取っ手部１０６’の位置は、外袋１００の縁部の一端と外袋１００の長手方向における中間箇所との間の区間に位置することが有利である。
【００５７】
取っ手部１０６’は、前述の実施例と同様に折畳部１０５の一部として、別の小さいシートパッチをさらに付着して提供することができる。
【００５８】
本発明のさらに他の実施例によれば、折畳部１０５及び取っ手部１０６が外袋１００の両縁部に対称的に一対が設けられた洗浄用のワイパーキットが提供される。この場合、図１１に示したように、外袋１００の両縁部を外方へ同時に引っ張れば、開封部材１０３が両方へ引っ張れながら切取線１０７が切り離され、内袋１０１が破裂する。このような構造によれば、開封部材１０３が引かれる長さを相対的に短くしながらも破裂面積を充分確保できるという長所がある。
【００５９】
上述のように本発明による洗浄用のワイパーキットは、開封部材１０３を引っ張る場合、切取線１０７が切り離されることで内袋１０１の破裂が容易かつ精度よく行われ、開封部材１０３の損傷を防止することができる。
【００６０】
以上、本発明を限定された実施例と図面によって説明したが、本発明はこれに限定されるものではなく、本発明の属する技術分野で通常の知識を持つ者によって本発明の技術思想と特許請求の範囲の均等範囲内で多様な修正及び変形が可能であることは言うまでもない。
【符号の説明】
【００６１】
１    ワイパー
２    洗浄液
１００    外袋
１０１    内袋
１０２、１０２’  ジッパー構造
１０３    開封部材
１０５    折畳部
１０６、１０６’    取っ手部
１０４    封止口
１０７    切取線
１０７ａ    第１切取部
１０７ｂ    第２切取部
【図１】
2018203374.tif 000003
【図２】
2018203374.tif 000004
【図３】
2018203374.tif 000005
【図４】
2018203374.tif 000006
【図５】
2018203374.tif 000007
【図６】
2018203374.tif 000008
【図７】
2018203374.tif 000009
【図８】
2018203374.tif 000010
【図９】
2018203374.tif 000011
【図１０】
2018203374.tif 000012
【図１１】
2018203374.tif 000013